(57)【要約】      （修正有）【課題】２段伸縮レール構造を用いない安価な構造で、引出しを大きく引き出して勝手良く使用することができる厨房キャビネットの引出し収納構造を提供する。【解決手段】厨房キャビネットの前面に形成された開口に、前板５に底板７を片持ち状に連結して左右開放状態に形成した引出し４を出し入れ可能に挿入し、底板７の左右端に、開口内の下部左右に設けた固定レール３に前後移動可能に係合案内される可動レールを設けるとともに、底板７を屈折して底板全長に亘る凸リブ７ｂを形成してある。【選択図】図３
2008061683.tif 000002
【特許請求の範囲】
【請求項１】
引出しを厨房キャビネットの開口を通じて厨房キャビネット内の引出し収納部に出し入れ可能な厨房キャビネットの引出し収納構造において、
上記厨房キャビネットの引出し収納部の下部左右位置で上記引出しの収納方向に対し互いに平行配置された一対の固定レールと、
前板の裏内面下部に底板の前端側が片持ち状に連結されかつ該底板の後端側が上記引出し収納部の奥収納方向に延びた構造を有し上記開口を通じて上記引出し収納部に収納可能とされた引出しと、
上記底板の左右両側に固定されて上記引出しと共に上記左右一対の固定レールに係合された状態で当該固定レール上を移動可能とされた左右一対の可動レールと、
を備え、
上記底板には、当該底板の強度補強と小物入れの位置決めのための凸リブが形成されている、
ことを特徴とする厨房キャビネットの引出し収納構造。
【請求項２】
上記凸リブは、上記底板の左右中間にその全長に亘り形成されている、ことを特徴とする請求項１に記載の厨房キャビネットの引出し収納構造。
【請求項３】
上記前板の裏内面下部にブラケットが固定され、このブラケットに上記底板の前端部が固定され、上記底板の後端部に背板が固定され、上記ブラケットと背板との左右側面に亘って側部ガードが架設されて小物入れの側方への脱落が防止可能になっている、ことを特徴とする請求項１また２に記載の厨房キャビネットの引出し収納構造。
【請求項４】
上記底板は、その左右端辺が途中から下方に屈折されて上記可動レールに外嵌固定されている、ことを特徴とする請求項１ないし３のいずれかに記載の厨房キャビネットの引出し収納構造。
【請求項５】
上記底板の凸リブは、上記底板の左右中間部位を上方に屈折突出させて左右水平方向に延びる上辺リブ部と、この上辺リブ部の左右両端から垂直下方に延びる縦リブ部とから形成されており、
上記凸リブの左右両縦リブ部は該小物いれの左右下端から下方に突出する両突部に跨られて当該小物入れの左右方向の位置決めをすることが可能になっている、ことを特徴とする請求項１に記載の厨房キャビネットの引出し収納構造。
【請求項６】
上記底板は、その左右端辺が途中から下方に屈折されて左右方向水平に延びる左右２つの上辺と、この左右２つの上辺それぞれの端部から垂直下方に延びる左右２つの縦辺とから、共に、Ｌ形に形成されており、この左右２つの上辺と縦辺それぞれのＬ形部分が上記可動レールに外嵌固定されており、かつ、左右端辺の両上辺は上記小物入れの左右両突部それぞれが係合可能になっている、ことを特徴とする請求項５に記載の厨房キャビネットの引出し収納構造。
【請求項７】
厨房キャビネットの開口の内側に小物入れ用の引出し収納部を備えた厨房キャビネットにおいて、
上記引出し収納部は、その下部左右位置に上記引出しの収納方向に対し互いに平行配置された左右一対の固定レールと、上記左右一対の固定レールに係合された状態で当該固定レール上を移動可能とされた左右一対の可動レールと、を備えると共に、
上記左右一対の可動レールが、上記引出し収納部に収納される引出しの底板の左右両側に固定されて該引出しと共に移動可能になっていると共に、該底板の左右中間部位に当該底板の強度補強と小物入れの位置決めのための凸リブが形成されている、ことを特徴とする厨房キャビネット。
【請求項８】
厨房キャビネットの開口を通じて厨房キャビネットの引出し収納部に対して出し入れ可能な厨房キャビネット用引出しであって、
前板の裏内面下部にブラケットが固定され、このブラケットに底板の前端部が固定され、上記底板の後端部に背板が固定され、上記ブラケットと背板との左右側面に亘って側部ガードが架設されて小物入れの側方への脱落が防止可能になっており、かつ、上記底板には、当該底板の強度補強と小物入れの位置決めのための凸リブが形成されていると共に、上記底板の左右両側には厨房キャビネットの引出し収納部に配置した左右一対の固定レールに係合して該固定レール上を移動可能とされた左右一対の可動レールが固定されている、ことを特徴とする厨房キャビネット用引出し。
【請求項９】
請求項１ないし６のいずれかに記載の厨房キャビネットの引出し収納構造または請求項７に記載の厨房キャビネットに用いる小物入れであって、
上記底板に載置可能になっている、ことを特徴とする小物入れ。
【請求項１０】
当該小物入れは、浅い受け皿と、この受け皿の上方において環状に配備された収容物脱落防止用の周枠と、受け皿の前後から立設されて上記周枠を連結支持する支柱棒とを備え、上記支柱棒の下端部は上記受け皿より下方に突出して上記凸リブに係合することができる、ことを特徴とする請求項９に記載の小物入れ。
【発明の詳細な説明】
【技術分野】
【０００１】
本発明は、厨房キャビネットに備えられる引出し収納構造、厨房キャビネット、厨房キャビネット用引出し、および厨房キャビネット用小物入れに関する。
【背景技術】
【０００２】
厨房キャビネットに備えられる引出し収納構造としては、引出しを開口内に固定されたスライドレールを介して出し入れ可能に構成したものがある（例えば、特許文献１参照）。
【０００３】
スライドレール利用の出し入れ構造では、引出しを引き出した際、スライドレールと底板との係合部分だけで引出しおよび収納物の重量を支持することになり、収納が重い場合には底板が変形してしまうおそれがある。従って、重い収納物を入れた引出しをあまり大きく引き出すことができないものとなり、奥のほうに入れた収納物の取り出しや確認が困難になる。
【０００４】
なお、事務用キャビネットなどに多く用いられている２段伸縮レールを用いると、引出しを全体的に引き出すことが可能となるが、これはレール構造が複雑でコスト高になる難点があった。
【特許文献１】特開平６−１０５７２２号公報
【発明の開示】
【発明が解決しようとする課題】
【０００５】
本発明は、このような実情に着目してなされたものであって、２段伸縮レール構造を用いない安価な構造で、引出しを大きく引き出して勝手良く使用することができる厨房キャビネットの引出し収納構造を提供することを目的とする。
【課題を解決するための手段】
【０００６】
本発明に係る厨房キャビネットの引出し収納構造は、厨房キャビネットの開口を通じて引出しを厨房キャビネットの引出し収納部に対して出し入れ可能な厨房キャビネットの引出し収納構造において、厨房キャビネットの引出し収納部の下部左右位置で引出しの収納方向に対して互いに平行配置された一対の固定レールと、前板の裏内面下部に底板の前端側が片持ち状に連結されかつ該底板の後端側が上記引出し収納部の奥収納方向に延びた構造を有し上記開口を通じて上記引出し収納部に収納可能とされた引出しと、上記底板の左右両側に固定されて上記引出しと共に上記左右一対の固定レールに係合された状態で当該固定レール上を移動可能とされた左右一対の可動レールと、を備え、上記底板には、当該底板の強度補強と小物入れの位置決めのための凸リブが形成されていることを特徴とするものである。
【０００７】
本発明によると、底板には凸リブが設けられているので底板が前後に長い薄い板材で構成されても上下の曲げ強度および捻り強度の高いものとなり、引出しを大きく引き出しても、固定レールとの短い係合長さで、引出しおよび収容物の重量を確実に支持することができる。
【０００８】
本発明の好適な一態様は、上記凸リブは、上記底板の左右中間にその全長に亘り形成されていることである。この態様では、底板の左右中間部に形成された凸リブにより底板の強度が高められ、また、脱着可能な小物入れの位置決めが可能となり、引出しの出し入れに際して、載置した小物入れが左右にずれ動いて開口の縁に引っ掛かるようなことがなくなる。
【０００９】
本発明の好適な一態様は、上記前板の裏内面下部にブラケットが固定され、このブラケットに上記底板の前端部が固定され、上記底板の後端部に背板が固定され、上記ブラケットと背板との左右側面に亘って側部ガードが架設されて小物入れの側方への脱落が防止可能になっていることである。
【００１０】
本発明の好適な一態様は、上記底板は、その左右端辺が途中から下方に屈折されて上記可動レールに外嵌固定されていることである。この態様では、上記凸リブに加えて上記下方に屈折された左右端辺により更に上下の曲げ強度および捻り強度の高いものとなる。
【００１１】
本発明の好適な一態様は、上記底板の凸リブは、上記底板の左右中間部位を上方に屈折突出させて左右水平方向に延びる上辺リブ部と、この上辺リブ部の左右両端から垂直下方に延びる縦リブ部とから形成されており、上記凸リブの左右両縦リブ部は該小物いれの左右下端から下方に突出する両突部に跨られて当該小物入れの左右方向の位置決めをすることが可能になっていることである。
【００１２】
本発明の好適な一態様は、上記底板は、その左右端辺が途中から下方に屈折されて左右方向水平に延びる左右２つの上辺と、この左右２つの上辺それぞれの端部から垂直下方に延びる左右２つの縦辺とから、共に、Ｌ形に形成されており、この左右２つの上辺と縦辺それぞれのＬ形部分が上記可動レールに外嵌固定されており、かつ、左右端辺の両上辺は上記小物入れの左右両突部それぞれが係合可能になっていることである。
【発明の効果】
【００１３】
本発明によれば、引出しにおける底板の左右中間に底板全長に亘る凸リブを備えることで、底板の上下曲げ強度を高いものにすることができ、２段伸縮レール構造をしない安価な構造で、引出しを大きく引き出して勝手良く使用することが可能となった。
【発明を実施するための最良の形態】
【００１４】
以下、添付した図面を参照して本発明の実施の形態に係る厨房キャビネットの引出し収納構造を詳細に説明する。
【００１５】
図１に厨房用キャビネットの一例としてＩＨクッキングヒータ−付きキャビネットの一部の斜視図、図２に図１に示した引出し収納構造Ａの斜視図、図３に引出しの側面図、図４に引出しの平面図、図５に引出しと小物入れの斜視図、図６に小物入れの縦断側面図、図７に引出し収納構造の縦断正面図、図８は図７の要部を拡大して示す図、図９は引出し収納構造の使用状態に係る縦断側面図を示す。
【００１６】
まず、図１を参照して、実施の形態に係る引出し収納構造Ａでは図１（ａ）で引出し４を厨房キャビネット１の開口２内の奥方に設けた図面に表われない引出し収納部に収納している状態、図１（ｂ）で引出し４を厨房キャビネット１の引出し収納部から少し引き出している状態、図１（ｃ）で引出し４を厨房キャビネット１の引出し収納部から十分に引き出している状態を示すように、引出し４を大きく引き出すことができるようにしている。
【００１７】
実施の形態の引出し収納構造Ａは上記のように引出し４およびこの引出し４に搭載した小物入れ等を確実に支持して該引出し４を厨房キャビネット１内から十分に引き出し可能として小物入れ１２や小物入れ１２内の各種調味料Ｂ等を簡単容易に取り出し可能としたことを特徴とするものである。
【００１８】
次に図２ないし図６を参照して、３は厨房キャビネット１の開口２内の上記引出し収納部の底面上の左右に配置される一対の固定レールである。なお、上記引出し収納部や固定レール３の配置状態は図７等を参照して後述する。固定レール３は、厨房キャビネット１の上記引出し収納部の底面に適宜手段例えばネジで固定される。引出し４は、固定レール３により上記引出し収納部への収納（引出し４の押し入れ）や引出し収納部からの引き出しを案内可能にされている。
【００１９】
引出し４は、その構成要素として、前板（化粧板）５と、ブラケット６と、底板７と、背板８とを備える。前板５はキャビネット１の矩形形状をなす開口２よりも外形寸法が大きい正面視矩形形状をなしており、前面上部には折曲げられ前方に突出する引出し取手５ａが装着されている。前板５の裏内面下部には、板金構造のブラケット６が固定されており、このブラケット６には底板７の前端部が片持ち支持されている。
【００２０】
底板７は下方に屈折された左右端辺７ａと左右中間部位に形成された凸リブ７ｂとを備える。底板７はその後端部が上記厨房キャビネット１の引出し収納部の奥収納方向に長く延びている。底板７の後端部には板金構造の背板８が立設連結されている。底板７の左右両端側には、上記固定レール３に係合される可動レール９が底板全長に亘って連結されている。底板７の上には、調味料容器などを収容する前後一対の小物入れ１２が取り外し可能に載置できるようになっている。
【００２１】
ブラケット６と背板８との左右側面に亘って、金属棒材の前後両端を屈曲してなる側部ガード１１が架設され、小物入れ１２の側方への脱落が防止される。
【００２２】
小物入れ１２は、金属板材の四辺を折り上げた浅い矩形の受け皿１３と、受け皿１３の上方において矩形環状に配備された収容物脱落防止用の周枠１４と、受け皿１３の前後から立設されて上記周枠１４の前後端を連結支持する左右の支柱棒１５とを備える。
【００２３】
前後の支柱棒１５は、丸棒材からなり、かつ、側方視で一連の矩形ループ状に形成されている。支柱棒１５の下端部１５ａは、受け皿１３より下方に突出されている。支柱棒１５の上部は、横外方に屈曲されて、支柱棒１５の上端部７ｂが小物入れ１２を持ち運びする際の取手として使用できるよう構成されている。
【００２４】
左右の支柱棒１５の下端部１５ａは、上記底板７の凸リブ７ｂの幅に相当する間隔に設定されており、底板７の凸リブ７ｂを跨いで係合することで小物入れ１２が左右に位置決めをされて底板７上に載置されるようになっている。
【００２５】
次に図７およびその要部拡大図である図８を参照して引出し収納構造Ａの縦断正面の構成を説明する。図７に厨房キャビネット１の開口２と、その開口２に連通する厨房キャビネット１の引出し収納部を構成する底面２ａと両内側面２ｂと天面２ｃとが示されている。また、開口２に対する引出し４の前板５が仮想線で図解の便宜のため示されている。
【００２６】
固定レール３は、金属板材を屈折して形成されたものであり、厨房キャビネット１の引出し収納部の底面２ａに平行に接合される下辺３ａと、この下辺３ａの外側端部から垂直上方に屈折されてなり厨房キャビネット１の引出し収納部の左右両内側面２ｂに接合される外側縦辺３ｂと、下辺３ａの内側端部から垂直上方に屈折され先端３ｄが案内部材１０の取り付け部として外向き直角に屈折されて鉤形をなす案内部３ｃとを備える。
【００２７】
可動レール９は、金属板材を屈折して下辺の一部が切欠かれた角パイプ状に形成されている。
【００２８】
可動レール９は、具体的には、引出し４の底板７が搭載される平坦な上辺９ａと、この上辺９ａの外側端部から垂直下方に屈折され先端９ｂが内向きに屈折された外側縦辺９ｃと、搭載辺９ａの内側端部から垂直下方に屈折された内側縦辺９ｄとを備え、外側縦辺９ｃと内側縦辺９ｄとの対向間に固定レール３の案内部３ｃが入り込める対向空間９ｄを有する。
【００２９】
固定レール３の内部の案内部３ｃの先端３ｄには、ローラ式あるいはスライドブロック式の案内部材１０が装備される。固定レール３の案内部３ｃは、可動レール９の外側縦辺９ｃと内側縦辺９ｄとの対向間に対向空間９ｄを介して入れられる。
【００３０】
可動レール９は、固定レール３の案内部３ｃに装備している案内部材１０により上下左右に位置決めされた状態で固定レール３上を前後方向に転動案内あるいはスライド案内されるようになっている。
【００３１】
底板７は、その左右端辺７ａが途中から下方に屈折されている。底板７の左右両端部は可動レール９の上辺９ａと外側縦辺９ｃとに接合された状態でスポット溶接あるいはネジ締めによって連結固定されている。この底板７の左右端辺７ａは左右方向水平に延びる上辺７ａ１と、この上辺７ａ１端部から垂直下方に延びる縦辺７ａ２とからＬ形に形成されている。この場合、底板７の左右端辺７ａの上辺７ａ１と縦辺７ａ２とにより可動レール９の上辺９ａと外側縦辺９ｃの一部が外から隠されるために引出し４を厨房キャビネット１から引出したときに可動レール９が見えにくくなり外観の見栄えが向上する。
【００３２】
底板７はその左右中間部位が上方に屈折突出されている。これによって底板７にはその全長またはほぼ全長に亘り低背凸条をなす凸リブ７ｂが形成されている。凸リブ７ｂは左右水平方向（幅方向）に延びる上辺リブ部７ｂ１と、上辺リブ部７ｂ１の左右両端から垂直下方に延びる縦リブ部７ｂ２とから形成されている。
【００３３】
以上のように構成された実施の形態に係る引き出し収納構造Ａにおいては、底板７が前後に長い薄い板材であっても、凸リブ７ｂを備えてあるので上下の曲げ強度および捻り強度が高い構造となっている。そのため、図９（ａ）で示すように厨房キャビネット１の引出し収納部に引出し４を収納している状態（図１（ａ）に対応）から、図９（ｂ）で示すように厨房キャビネット１の引出し収納部から引出し４を引き出し（図１（ｂ）に対応）、さらに図９（ｃ）で示すように厨房キャビネット１の引出し収納部から十分に引き出しても（図１（ｃ）に対応）、固定レール３との短い係合長さで、引出し４および載置した収容物の重量を確実に支持することができる。また、引出し４を厨房キャビネット１内から十分に引き出すことができるので小物入れ１２の取出し、あるいは小物入れ１２内の調味料等を容易に取り出すことができるようになる。
【００３４】
なお、本発明は、底板７の凸リブ７ｂは実施の形態では１つであったが、複数の凸リブ７ｂを底板全長に亘って形成することにより底板７の強度を高めるようにしてもよいし、また、左右の可動レール９の間において底板７を凹入屈折して、浅い溝状の凸リブ７ｂを底板全長に亘って形成して底板７の強度を高めることもできる。
【図面の簡単な説明】
【００３５】
【図１】図１は実施の形態の厨房キャビネットの一部の斜視図である。
【図２】図２は図１に示した引出し収納構造の斜視図である。
【図３】図３は引出しの側面図である。
【図４】図４は引出しの平面図である。
【図５】図５は引出しと小物入れの斜視図である。
【図６】図６は小物入れの縦断側面図である。
【図７】図７は引出し収納構造の縦断正面図である。
【図８】図８は図７の要部を拡大して示す図である。
【図９】図９は引出し収納構造の使用状態に係る縦断側面図である。
【符号の説明】
【００３６】
１  キャビネット
２  開口
３  固定レール
４  引出し
５  前板
７  底板
７ａ  底板の左右端辺
７ｂ  凸リブ
９  可動レール
１２  小物入れ
１３  受け皿
１４  周枠
１５  支柱棒
１５ａ  支持棒の下端部
１５ｂ  支持棒の上端部
【図１】
2008061683.tif 000003
【図２】
2008061683.tif 000004
【図３】
2008061683.tif 000005
【図４】
2008061683.tif 000006
【図５】
2008061683.tif 000007
【図６】
2008061683.tif 000008
【図７】
2008061683.tif 000009
【図８】
2008061683.tif 000010
【図９】
2008061683.tif 000011